(57)【特許請求の範囲】
【請求項１】
所定の幅を有する連続状態のパルプ基紙中に、前記パルプ基紙の長手方向に平行に、導電性物質がアンテナとしての機能を備える状態で漉き込まれた均一幅の領域と、導電性物質が漉き込まれていない均一幅の領域とがストライプ状に交互に設けられていることを特徴とするアンテナ部が漉き込まれている用紙。
【請求項２】
２基のワイヤーシリンダー５ａ，５ｂをそれぞれシリンダーパッド６ａ，６ｂの中の紙料７ａ，７ｂに浸しながら回転させ、前記ワイヤーシリンダー５ａ，５ｂ内外の水位差を利用して、シリンダーの金網にそれぞれ紙層を形成させる工程と、
前記紙層を毛布に移し取ることで２層抄合わせ紙を得る工程と、
前記ワイヤーシリンダー５ａ，５ｂの間におけるスペースに設けられた噴出装置のノズルから、前記ワイヤーシリンダー５ｂにより毛布に移し取った紙層表面上に、導電性物質を噴出させることでアンテナパターンを形成する工程と、
前記シリンダーパッド６ａの中の紙料７ａをワイヤーシリンダー５ａにより前記アンテナパターン上に積層させることで、パルプ基紙の紙層間にアンテナとしての機能を備えるように漉き込ませる工程と、
を有することを特徴とするアンテナ部が漉き込まれている用紙の製造方法。
【発明の詳細な説明】
【０００１】
【発明の属する技術分野】
本発明は、アンテナ部が漉き込まれている用紙に関するものである。
【０００２】
【従来の技術】
従来より、物品に、メモリー付き集積回路を有する「非接触ＩＣタグ」（一般に、「非接触データキャリア」、「無線ＩＣタグ」、「非接触ＩＣ」、「非接触ＩＣラベル」、「ＲＦ−ＩＤタグ」等と表現される場合もある。）を実装して、各種の情報を記録して物品の管理や物流の合理化あるいは商品情報表示が行われるようになってきている。
この「非接触ＩＣタグ」には、各種の実施形態があるが、非接触ＩＣタグを直接書類や物品に貼付するほか、ラベル状にした非接触ＩＣタグラベルを物品に貼着する使用法も行われている。
【０００３】
この非接触ＩＣタグの一例としては、外部装置との間で電波による情報の送受信を行えるようにするために、アンテナパターンを印刷して、このアンテナパターン端子にＩＣチップを装着したり、コイル状のアンテナ端子とＩＣチップを接続させるなどして構成されている。
そして、非接触ＩＣタグの基材が紙等の薄層の材料である場合には、アンテナパターンを設ける際に、導電性インキを使用して、オフセット、グラビア、フレキソ、シルクスクリーン印刷等の印刷により設けることが行われている。
【０００４】
しかしながら、印刷によりアンテナパターンを設けた場合には、表面にアンテナパターンが目視可能な状態で形成されるので、用紙のデザイン上の制約となり好ましくないという問題がある。
また、製造工程においても、アンテナパターンを設けるための印刷工程、インターポーザ貼付工程、仕上げ断ち工程などの３工程が必要となり、これもコストダウンの阻害要因となっているという問題がある。
【０００５】
【発明が解決しようとする課題】
本発明は、用紙を基材とする非接触ＩＣタグにおいて、アンテナパターンが用紙の表面上に表れない状態で設けることで、用紙の印刷デザインをアンテナパターンで阻害されることがなく、また印刷によりアンテナパターンを設けた場合に比べて、製造工程が少なくてすむようにしたアンテナ部が漉き込まれている用紙およびその製造方法を提供する。
【０００６】
【課題を解決するための手段】
本発明のアンテナ部が漉き込まれている用紙は、所定の幅を有する連続状態のパルプ基紙中に、前記パルプ基紙の長手方向に平行に、導電性物質がアンテナとしての機能を備える状態で漉き込まれた均一幅の領域と、導電性物質が漉き込まれていない均一幅の領域とがストライプ状に交互に設けられていることを特徴とする。
【０００７】
また、本発明のアンテナ部が漉き込まれている用紙の製造方法は、２基のワイヤーシリンダー５ａ，５ｂをそれぞれシリンダーパッド６ａ，６ｂの中の紙料７ａ，７ｂに浸しながら回転させ、前記ワイヤーシリンダー５ａ，５ｂ内外の水位差を利用して、シリンダーの金網にそれぞれ紙層を形成させる工程と、前記紙層を毛布に移し取ることで２層抄合わせ紙を得る工程と、前記ワイヤーシリンダー５ａ，５ｂの間におけるスペースに設けられた噴出装置のノズルから、前記ワイヤーシリンダー５ｂにより毛布に移し取った紙層表面上に、導電性物質を噴出させることでアンテナパターンを形成する工程と、前記シリンダーパッド６ａの中の紙料７ａをワイヤーシリンダー５ａにより前記アンテナパターン上に積層させることで、パルプ基紙の紙層間にアンテナとしての機能を備えるように漉き込ませる工程と、を有することを特徴とする。
【０００８】
【発明の実施の形態】
以下、本発明の実施の形態を図面に基づいて詳細に説明する。
図１は、本発明のアンテナ部が漉き込まれている用紙の概要を説明するための概略図、図２は、本発明のアンテナ部が漉き込まれている用紙を製造する際に使用するシリンダー２基を備えた円網抄紙機の抄紙部分の模式図、図３は、本発明のアンテナ部が漉き込まれている用紙に係る実施形態の平面図、図４は、図３のＡ−Ａ線断面図、図５は、本発明のアンテナ部が漉き込まれている用紙を断裁し、非接触ＩＣタグを形成する場合を説明するための図、図６は、本発明のアンテナ部が漉き込まれている用紙から製造した非接触ＩＣタグの平面図である。
【０００９】
本発明の実施形態のアンテナ部が漉き込まれている用紙１は、図１に示すように、１枚のパルプ基紙２の紙層間に、導電性物質３がアンテナとしての機能を備える状態で漉き込まれた状態で内蔵された構造を有している。
例えば、２層以上の抄合わせ紙を製造する段階において、アンテナとしての機能を備える状態で導電性物質３を紙層間に漉き込ませることで、既に紙内にアンテナが内蔵された状態の用紙が製造されるものである。
【００１０】
本発明のアンテナ部が漉き込まれている用紙を製造する方法を、図２に示したシリンダー２基を備えた円網抄紙機４を用いて説明する。
円網抄紙機４は、シリンダー２基を備えていて２層抄合わせ紙を製造するための装置であり、２基のワイヤーシリンダー５ａ，５ｂをそれぞれシリンダーパッド６ａ，６ｂの中の紙料７ａ，７ｂに浸しながら回転させ、ワイヤーシリンダー５ａ，５ｂ内外の水位差を利用して、シリンダーの金網にそれぞれ紙層を形成させ、これを毛布８に移し取ることで２層抄合わせ紙を製造する。
【００１１】
そして、シリンダー２基の間におけるスペースに、導電性物質３をノズル９から噴出させる噴出装置１０を設け、ワイヤーシリンダー５ｂにより毛布８に移し取った紙層表面上に、導電性物質３を噴出さることでアンテナパターンを形成させ、更にシリンダーパッド６ａの中の紙料７ａをワイヤーシリンダー５ａによりアンテナパターン上に積層させることで、パルプ基紙の紙層間にアンテナとしての機能を備えるように漉き込ませる。
噴出装置１０のノズル９から導電性物質３を噴出させる際には、例えばカーボンや黒鉛あるいは銀粉やアルミ粉など、あるいはこれらの混合体をビヒクルに分散させた導電性インキを使用することが好ましい。
【００１２】
導電性物質３をパルプ基紙に漉き込ませるための製造方法は、上記の方法に限定されるものではなく、他の製造方法により漉き込んでもよいものである。
また、導電性物質３としては、例えば金、銀、銅、ニッケル、アルミ、などの金属の導電性物質を用いることができる。
【００１３】
図３には、本発明のアンテナ部が漉き込まれている用紙の実施形態として、所定の幅を有する連続状態のパルプ基紙２中に、このパルプ基紙２の長手方向に平行に、導電性物質３によるアンテナパターンが漉き込まれているストライプ状からなる領域Ｌ1と、導電性物質３が漉き込まれていないストライプ状からなる領域Ｌ2とを有する用紙が示されている。
【００１４】
導電性物質３によるアンテナパターンが漉き込まれているストライプ状からなる領域Ｌ1の幅は、特に限定されるものではなく、導電性物質３によりアンテナパターンを形成させた際に、アンテナとしての機能を有する状態になるような幅として任意に設定すればよい。
導電性物質３が漉き込まれていないストライプ状からなる領域Ｌ2は、ＩＣチップを貼付させるための領域として用いられ、ＩＣチップを貼付させた際に、ＩＣチップの端子部がＩＣチップを挟んで形成された両側の導電性物質３によるアンテナパターンと静電的に結合可能であるように設定すればよい。
【００１５】
そして、本発明のアンテナ部が漉き込まれている用紙を使用して、非接触ＩＣタグを作製する場合には、図５に示すように、連続状態のパルプ基紙２を長手方向に移動させながら、まず印刷工程により用紙表面に任意のデザインの印刷を施す。
その後、導電性物質３が漉き込まれていないストライプ状からなる領域Ｌ2に対して、所定間隔をあけてＩＣチップ１１を貼付させていくＩＣチップ貼付工程を経た後、予め定められた断裁予定線１２によりＩＣチップ１１が貼付された非接触ＩＣタグ毎に断裁機で断裁処理を行う。
これにより、図６に示すような非接触ＩＣタグ１３が作製され、また断裁処理で所望の大きさ形状に断裁することで、書籍の表紙または本体や、包装、紙器のブランク等に貼付可能な非接触ＩＣタグ１３を作製することができる。
【００１６】
【発明の効果】
以上説明したように、本発明のアンテナ部が漉き込まれている用紙は、用紙を基材とする非接触ＩＣタグにおいて、アンテナパターンが用紙の表面上に表れない状態で設けられるので、用紙の印刷デザインをアンテナパターンで阻害されることがないという効果がある。
また、アンテナパターンを印刷により設けた場合に比べて、製造工程が少なくてすむので生産効率がよいという効果がある。
【図面の簡単な説明】
【図１】本発明のアンテナ部が漉き込まれている用紙の概要を説明するための概略図である。
【図２】本発明のアンテナ部が漉き込まれている用紙を製造する際に使用するシリンダー２基を備えた円網抄紙機の抄紙部分の模式図である。
【図３】本発明のアンテナ部が漉き込まれている用紙に係る実施形態の平面図である。
【図４】図３のＡ−Ａ線断面図である。
【図５】本発明のアンテナ部が漉き込まれている用紙を断裁し、非接触ＩＣタグを形成する場合を説明するための図である。
【図６】本発明のアンテナ部が漉き込まれている用紙から製造した非接触ＩＣタグの平面図である。
【符号の説明】
１  本発明のアンテナ部が漉き込まれている用紙
２  パルプ基紙
３  導電性物質
４  円網抄紙機
５ａ，５ｂ  ワイヤーシリンダー
６ａ，６ｂ  シリンダーパッド
７ａ，７ｂ  紙料
８  毛布
９  ノズル
１０  噴出装置
１１  ＩＣチップ
１２  断裁予定線
１３  非接触ＩＣタグ
【図１】
0004887569.tif 000002
【図２】
0004887569.tif 000003
【図３】
0004887569.tif 000004
【図４】
0004887569.tif 000005
【図５】
0004887569.tif 000006
【図６】
0004887569.tif 000007